(57)【要約】【課題】テレビ放送の放送画像と放送画像以外の情報画像とをモニタ画面上に同時に表示させる場合、著作権上の問題を低減しつつ視聴者にとって見易い画像表示を実現する。【解決手段】本発明の放送受信装置１は、モニタ装置１２の表示画面１２ａの枠を模した枠画像２０を物理画面（表示画面１２ａ）の一部を占めるように配置するとともに、チューナ３の受信したテレビ放送に対応する放送画像２６を枠画像２０の内側に配置した合成画像１８を生成する。また、放送受信装置１は、放送画像２６以外の例えばインターネット上から取得した情報画像２２、２３を枠画像２０の外側に配置した合成画像を生成する。【選択図】図２
2007300382.tif 000002
【特許請求の範囲】
【請求項１】
テレビ放送を受信する受信部と、
モニタ画面の枠を模した枠画像を物理画面の一部を占めるように配置するとともに、前記受信部により受信された前記テレビ放送に対応する放送画像を前記枠画像の内側に配置した合成画像を生成する画像合成部と、
前記画像合成部により生成された前記合成画像を出力する出力部と、
を具備することを特徴とする電子機器。
【請求項２】
前記画像合成部は、前記枠画像の外側又は枠上に前記放送画像と異なる情報画像を配置した合成画像を生成することを特徴とする請求項１記載の電子機器。
【請求項３】
前記画像合成部は、前記物理画面の一部を占有する前記枠画像の占有位置又はサイズを前記情報画像の種別に応じて変更することを特徴とする請求項２記載の電子機器。
【請求項４】
テレビ放送を受信する放送受信ステップと、
モニタ画面の枠を模した枠画像を物理画面の一部を占めるように配置するとともに、前記放送受信ステップで受信された前記テレビ放送に対応する放送画像を前記枠画像の内側に配置した合成画像を生成する画像合成ステップと、
前記画像合成ステップで生成された前記合成画像を出力する画像出力ステップと、
を有することを特徴とする画像表示方法。
【請求項５】
前記画像合成ステップでは、前記枠画像の外側又は枠上に前記放送画像と異なる情報画像を配置した合成画像を生成することを特徴とする請求項４記載の画像表示方法。
【発明の詳細な説明】
【技術分野】
【０００１】
本発明は、テレビ放送を受信して生成された放送画像を出力可能な電子機器及び画像表示方法に関する。
【背景技術】
【０００２】
近年、衛星やケーブルネットワークを通じて放送されるデジタルテレビ放送では、データ圧縮された複数のテレビ番組の信号を多重化して伝送することで、１００を超える多数のチャンネルを用いて放送番組を提供することが可能になっている。この番組数の増加に伴い、視聴者が所望の番組を選択することが困難になるため、今日では、いわゆる電子番組表の作成に必要なＥＰＧ（Electronic Program Guide）データが放送局側から送信されている。
【０００３】
そこで、このような実情から、視聴中の放送番組とともに電子番組表をテレビモニタの画面上に表示できるようにしたデジタル放送受信機が提案されている（例えば、特許文献１参照）。
【特許文献１】特開２００１−１５７１３６号公報
【発明の開示】
【発明が解決しようとする課題】
【０００４】
しかしながら、テレビ放送の放送画像とともに、この放送画像以外の情報画像として上記の電子番組表や例えばインターネット上から取得したコンテンツ情報などを同じモニタ画面上に表示させた場合、放送画像以外の情報画像を視聴者がテレビ放送の放送画像の一部と誤解するおそれがあり、著作権上の問題が懸念される。
【０００５】
ここで、例えばダブルウインドウ表示などを利用すれば、放送画像と放送画像以外の情報画像との混在の課題は低減するが、ダブルウインドウを用いることで一般にモニタ画面内に余分な非表示領域が作成されてしまい、その分、各画像の表示面積が小さくなって表示情報が見づらくなる。
【０００６】
そこで本発明は、このような事情を考慮してなされたものであり、テレビ放送の放送画像と放送画像以外の情報画像とを単一のモニタ画面上に同時に表示させる場合において、著作権上の課題を低減しつつ視聴者にとって見易い画像表示を実現する電子機器及び画像表示方法の提供を目的とする。
【課題を解決するための手段】
【０００７】
上記目的を達成するために、本発明に係る電子機器は、テレビ放送を受信する受信部と、モニタ画面の枠を模した枠画像を物理画面の一部を占めるように配置するとともに、前記受信部により受信された前記テレビ放送に対応する放送画像を前記枠画像の内側に配置した合成画像を生成する画像合成部と、前記画像合成部により生成された前記合成画像を出力する出力部と、を具備することを特徴とする。
【０００８】
すなわち、本発明では、テレビ放送に対応する放送画像をモニタ画面の枠を模した枠画像内に配置する合成画像を生成するので、例えばこの放送画像と放送画像以外の情報画像とを単一のモニタ画面上に同時に表示させる場合などにおいて、放送画像がテレビ放送に対応する画像情報であることが明確に意味付けされる。これにより、本発明によれば、著作権上の課題を低減しつつ視聴者にとって見易い画像表示を実現することができる。さらに、本発明においては、放送画像とは異なる情報画像を枠画像の外側又は枠上に配置した合成画像を画像合成部にて生成させることで、放送画像と放送画像以外の情報画像とを明確に差別化することができる。
【０００９】
また、本発明に係る画像表示方法は、テレビ放送を受信する放送受信ステップと、モニタ画面の枠を模した枠画像を物理画面の一部を占めるように配置するとともに、前記放送受信ステップで受信された前記テレビ放送に対応する放送画像を前記枠画像の内側に配置した合成画像を生成する画像合成ステップと、前記画像合成ステップで生成された前記合成画像を出力する画像出力ステップと、を有することを特徴とする。
【発明の効果】
【００１０】
このように本発明によれば、テレビ放送の放送画像と放送画像以外の情報画像とを単一のモニタ画面上に同時に表示させる場合において、著作権上の課題を低減しつつ視聴者にとって見易い画像表示を実現する電子機器及び画像表示方法を提供することができる。
【発明を実施するための最良の形態】
【００１１】
以下、本発明を実施するための最良の形態を図面に基づき説明する。
図１は、本発明の実施形態に係る電子機器としての放送受信装置を機能的に示すブロック図であり、図２は、この放送受信装置に接続されたモニタ装置に表示される合成画像の一例を示す図である。
【００１２】
図１に示すように、本実施形態の放送受信装置１は、システム全体の制御を行う制御部７を備える。制御部７は、ＣＰＵ７ａと、ファームウェアや各種データが固定的に格納されたＲＯＭ７ｂと、ＣＰＵ７ａの作業エリアなどとして用いられるＲＡＭ７ｃとを備える。この制御部７には、バス１５を通じて、チューナ（デジタルチューナ）３、映像・音声処理部５、画像合成部６、通信部８、グラフィック用のインタフェース１４などが接続されている。また、映像・音声処理部５には、外部スピーカ１０などが接続され、グラフィック用のインタフェース１４には、モニタ装置１２が接続されている。
【００１３】
テレビ放送を受信する上記チューナ３は、アンテナ２から取り込まれる例えばデジタル放送の放送波から所望の放送波を選局する。なお、デジタル放送の放送波は、アンテナ２から取り込まれるものに限らず、ケーブルテレビ局などからケーブルを介して取り込まれるものであってもよい。
【００１４】
映像・音声処理部５は、チューナ３からの入力を受け、例えばデジタル放送の放送波に多重化された音声信号、映像信号、ＥＰＧデータなどをそれぞれ分離し、分離した各信号をそれぞれデコードする。さらに、映像・音声処理部５は、デコードされた例えばデジタル音声信号、デジタル映像信号、ＥＰＧデータなどを外部スピーカ１０、画像合成部６、バス１５に出力する。
【００１５】
通信部８は、イーサコントローラなどを備え、ＩＰなどのプロトコルで通信を行うことが可能であり、インターネットなどのネットワークと放送受信装置を接続する。また、制御部７には、操作入力部９が接続されており、操作入力部９は、ユーザによるリモコンからの操作内容を制御部７に通知する。
【００１６】
画像合成部６は、グラフィック用のメモリなどを有し、映像・音声処理部５からの映像と、制御部７から指示された映像を合成する。また、画像合成部６は、ＥＰＧデータを基にして電子番組表の画面や各種設定用の画面を作成する。
【００１７】
さらに、本実施形態の画像合成部６は、図１、図２に示すように、モニタ装置１２の表示画面１２ａの枠（フレーム）の外観を模した枠画像２０を物理画面（表示画面１２ａ）の一部を占めるように例えば任意のコーナ部分に寄せて配置するとともに、チューナ３により受信されたテレビ放送に対応する放送画像２６を枠画像２０の内側に配置した合成画像１８を生成する。上記枠画像２０を生成するための情報は、予めＲＯＭ７ｂ内に格納されている。
【００１８】
また、画像合成部６は、図２に示すように、放送画像２６とは異なる例えばインターネットなどから取得した情報画像２２、２３、２４、２５を枠画像２０の外側の反Ｌ字状の領域に配置し、且つ枠画像２０の枠上に例えば情報画像２１を配置した上記合成画像１８を生成する。ここで、図２に示す情報画像２４は、例えば地上波、衛星、家庭内の映像機器から映像出力などといった放送画像２６のソースの情報を示すアイコン画像である。また、情報画像２５は、上記の放送画像２６のソースの情報に対応する放送局の名称や番組名などを記した文字画像である。情報画像２１は、モニタ装置１２本体の設定などに関する表示画像であって、音量調整目盛や画質調整目盛などを視覚的に示す画像である。さらに、情報画像２２、２３は、インターネットなどのネットワーク上から通信部８を通じて取得された静的なコンテンツであり、例えば、ＷＷＷの一般ページ、ＷＷＷでの検索画面、受信したメール、ブログなどが例示される。
【００１９】
また一方で、上述した制御部７は、次のような処理を行う。すなわち、制御部７は、ユーザがリモコン操作により設定した各種イベントを操作入力部９から取得する。イベントの種類としては、合成画像を生成する場合のレイアウト変更、放送局の選局切替、通信部８を通じてネットワーク上の情報を受信するネットワーク受信や、その他、リモコン操作により設定した例えば視聴予約に対応する予約時間通知などの制御部７内で発生するイベントなどがある。つまり、制御部７は、取得したイベントに対応する処理を実行する。
【００２０】
次に、制御部７の制御下で画像合成部６が行う各種合成画像の生成処理について詳述する。ここで、図３は、放送画像以外の情報画像の情報量が比較的多い場合に生成される合成画像３１を示す図であり、また、図４は、リモコン及び操作入力部９を通じて設定操作可能な放送受信装置本体の設定／操作メニュー（情報画像）２９と放送画像２６とを合成した合成画像３２を示す図である。さらに、図５は、放送画像２６とリアルタイム情報を示す画像とを合成した合成画像３３を示す図であり、図６は、図５の合成画像にさらにリアルタイム情報の内容をより詳細に記す文字画像を加えた合成画像３８を示す図である。
【００２１】
すなわち、画像合成部６は、図３に示すように、物理画面（表示画面１２ａ）の一部を占有する枠画像２０ａの占有位置又はサイズを放送画像２６ａ以外の情報画像２７の種別に応じて変更するように構成されている。この図３においては、情報画像２７の情報量が比較的多い場合に生成される合成画像３１が例示されている。
【００２２】
また、図４に例示するように、画像合成部６が生成する合成画像３２には、放送画像２６を囲う枠画像２０の外側に設定／操作メニュー２９が表示される。この場合、モニタ装置１２へ入力される画像データの入力切替、受信するチャンネルの設定、電子番組表の表示／非表示などを選択することが可能である。
【００２３】
また、画像合成部６は、図５及び図６に示すように、放送画像２６とリアルタイム情報を示す画像とを合成した合成画像３３、３８などを生成する。すなわち、画像合成部６は、文字チャット、ＩＰ動画受信／送信、接続機器（ＮＡＳ［Network Attached Storage］、ＰＣなど）の状態変化、メール受信通知、ＩＰ電話着信通知、放送開始の通知（視聴予約した場合や自動で利用者の趣向に合ったものを通知するなど）、視聴予約開始前のカウントダウン表示、ＷＷＷの更新通知（ＲＳＳ: Rich Site Summary）などを示す情報画像と放送画像２６とを合成した合成画像を生成する。
【００２４】
例えば、図５に例示する合成画像３３は、視聴予約された時刻まで例えば残り３分であることなどをユーザ側に報知することが可能となっている。つまり、視聴予約された放送がまもなく開始することを、まずアイコン（情報画像）２８で表示する。このアイコン２８は、視聴予約時刻が近いことに視聴者が気付くように、例えば表示位置が変位する（例えば、アイコン２８は、図５中の表示画面１２ａの右上→右下→左端と移動して停止する）。
【００２５】
また、図６に例示する合成画像３８は、図５の合成画像３３にさらに改善を加えたものであって、アイコン（情報画像）３４の停止後、『△△を表示する場合には“決定ボタン”を押して下さい』といったメッセージや、『あと３分で、“放送局××”の“番組○○”へ切り替えます。予約を解除する場合は、“キャンセルボタン”（図示せず）を押してください。』といったメッセージを情報画像３６として表示する。この後、視聴者からの入力操作がない場合、合成画像３８では、一定時間、アイコン３４を表示した後、メッセージ（情報画像３６）の表示を消去し、また、“キャンセルボタン”が押された場合、視聴予約を解除する。また、例えば、“ＯＫボタン”などが押された場合、その直後に、メッセージ（情報画像３６）の表示を消去する。なお、図６に例示する合成画像３８では、視聴予約が複数ある場合、アイコン３４と異なるアイコン３５を情報画像３６の上に視覚的に積載するようにして視聴予約をユーザ側に対して報知する。
【００２６】
次に、制御部７が、画像合成部６を通じて行う合成画像の作成に関する処理を図７に示すフローチャートに基づき説明する。
制御部７は、まず、ユーザがリモコン操作により設定したイベントを操作入力部９から取得し（Ｓ１）、取得したイベントの種別を判別する（Ｓ２）。取得したイベントがレイアウト変更である場合（Ｓ３）、これを画像合成部６に対して指示する（Ｓ４）。この際、画像合成部６は、表示画面１２ａに対する枠画像２０ａの占有位置又はサイズを放送画像２６以外の情報画像の種類に応じて変更する。また、取得したイベントがネットワーク受信である場合（Ｓ５）、制御部７は、通信部８を制御して、例えばインターネット上のコンテンツなどを取得する処理や、また画像合成部６を制御して、取得したコンテンツを情報画像として作成する処理を行う（Ｓ６）。
【００２７】
さらに、制御部７は、取得したイベントが放送局の選局切替である場合（Ｓ７）、チューナ３を制御して選局している放送局を切替え、さらに、映像・音声処理部５に対して音声／映像の切替えを指示する（Ｓ８）。また、制御部７は、その他のイベントを取得した場合（Ｓ９）、つまり例えば視聴予約に対応する予約時間通知などのイベントを取得した場合、画像合成部６を制御してリアルタイム情報の表示制御に関する処理を実行する（Ｓ１０）。
【００２８】
既述したように、本実施形態に係る放送受信装置１では、テレビ放送に対応する放送画像２６をモニタ装置１２の表示画面１２ａの枠を模した枠画像２０内に配置する合成画像を生成するので、例えばこの放送画像２６と放送画像２６以外の情報画像とを単一の表示画面１２ａ上に同時に表示させる際に、放送画像２６がテレビ放送に対応する画像情報であることが明確に意味付けされる。これにより、放送受信装置１によれば、著作権上の課題を低減しつつ視聴者にとって見易い画像表示を実現することができる。さらに、放送受信装置１によれば、放送画像２６とは異なる情報画像を枠画像２０の外側又は枠上に配置した合成画像を画像合成部６にて生成させることで、放送画像２６と放送画像以外の情報画像とを明確に差別化することができる。
【００２９】
以上、本発明を実施の形態により具体的に説明したが、本発明は前述した実施形態にのみ限定されるものではなく、その要旨を逸脱しない範囲で種々変更可能である。例えば、上述した実施形態では、本発明の電子機器の具体的な機器名については例示しなかったが、本発明の電子機器としては、表示装置、チューナなどを搭載したパーソナルコンピュータ及び携帯電話や、その他、表示装置を持たないＤＶＤ／ＨＤＤレコーダなども適用することが可能である。
【００３０】
また、上記の実施形態では、表示画面上に単一の画像枠を表示する態様を例示していたが、これに代えて、一つの表示画面上に二つ以上の複数の枠画像を有する合成画像を生成するようにしてもよい。また、放送画像以外の情報画像として、本発明の電子機器の操作マニュアルの画像を合成した合成画像を生成するようにしてもよい。
【図面の簡単な説明】
【００３１】
【図１】本発明の実施形態に係る放送受信装置を機能的に示すブロック図。
【図２】図１の放送受信装置に接続されたモニタ装置に表示される合成画像の一例を示す図。
【図３】図１の放送受信装置が備える画像合成部によって、放送画像以外の情報画像の情報量が比較的多い場合に生成される合成画像を示す図。
【図４】図１の放送受信装置のリモコン及び操作入力部を通じて設定操作可能な設定／操作メニューと放送画像とを合成した合成画像を示す図。
【図５】図１の放送受信装置により作成される放送画像とリアルタイム情報を示す画像とを合成した合成画像を示す図。
【図６】図５の合成画像にさらにリアルタイム情報の内容をより詳細に記す文字画像を加えた合成画像を示す図。
【図７】図１の放送受信装置の制御部が画像合成部を通じて行う合成画像の作成に関する処理を示すフローチャート。
【符号の説明】
【００３２】
１…放送受信装置、２…アンテナ、３…チューナ、６…画像合成部、７…制御部、８…通信部、１２…モニタ装置、１２ａ…表示画面、１４…インタフェース、１８，３１，３２，３３，３８…合成画像、２０，２０ａ…枠画像、２１，２２，２３，２４，２５，２７，２８，２９，３４，３５，３６…情報画像、２６，２６ａ…放送画像。
【図１】
2007300382.tif 000003
【図２】
2007300382.tif 000004
【図３】
2007300382.tif 000005
【図４】
2007300382.tif 000006
【図５】
2007300382.tif 000007
【図６】
2007300382.tif 000008
【図７】
2007300382.tif 000009